【手続補正書】
【提出日】平成29年4月25日(2017.4.25)
【手続補正１】
【補正対象書類名】明細書
【補正対象項目名】０００９
【補正方法】変更
【補正の内容】
【０００９】
上述の問題点を解決するため、本発明に係る電子機器は以下の構成を備える。すなわち、電子機器は、外部機器による第１の記憶部に対する印刷データを取得するための情報の読取り又は書込みを実行するため、前記電子機器が電源ＯＦＦ状態であっても該外部機器との間で近距離無線通信を行う第１の通信手段であって、リーダ／ライタモードで動作する前記外部機器と通信するためカードエミュレーションモードで動作する前記第１の通信手段と、印刷データを取得する第２の通信手段と、前記第２の通信手段により取得された印刷データを印刷する印刷手段と、前記電子機器が電源ＯＦＦ状態から電源ＯＮ状態に移行し、かつ、該電子機器が電源ＯＦＦ状態の間に前記外部機器によって前記第１の通信手段を介して前記第１の記憶部に印刷データを取得するための情報が書込まれていた場合、該印刷データを取得するための情報に従って印刷データを取得するよう前記第２の通信手段を制御し、該第２の通信手段により取得された印刷データを印刷するよう前記印刷手段を制御する制御手段と、を有する。
【手続補正２】
【補正対象書類名】特許請求の範囲
【補正対象項目名】全文
【補正方法】変更
【補正の内容】
【特許請求の範囲】
【請求項１】
電子機器であって、
外部機器による第１の記憶部に対する印刷データを取得するための情報の読取り又は書込みを実行するため、前記電子機器が電源ＯＦＦ状態であっても該外部機器との間で近距離無線通信を行う第１の通信手段であって、リーダ／ライタモードで動作する前記外部機器と通信するためカードエミュレーションモードで動作する前記第１の通信手段と、
印刷データを取得する第２の通信手段と、
前記第２の通信手段により取得された印刷データを印刷する印刷手段と、
前記電子機器が電源ＯＦＦ状態から電源ＯＮ状態に移行し、かつ、該電子機器が電源ＯＦＦ状態の間に前記外部機器によって前記第１の通信手段を介して前記第１の記憶部に印刷データを取得するための情報が書込まれていた場合、該印刷データを取得するための情報に従って印刷データを取得するよう前記第２の通信手段を制御し、該第２の通信手段により取得された印刷データを印刷するよう前記印刷手段を制御する制御手段と、
を有することを特徴とする電子機器。
【請求項２】
前記電子機器の機器情報を、前記第１の記憶部とは異なる第２の記憶部に記憶し管理する管理手段と、
前記電子機器が電源ＯＮ状態から電源ＯＦＦ状態に移行する場合、前記第２の記憶部に記憶されている機器情報の少なくとも一部を前記第１の記憶部に書込むよう制御する記憶制御手段と、
を更に有し、
前記記憶制御手段は、前記電子機器が電源ＯＦＦ状態から電源ＯＮ状態に移行する場合、前記第１の記憶部に記憶されている機器情報で前記第２の記憶部に記憶されている機器情報を更新するよう制御する
ことを特徴とする請求項１に記載の電子機器。
【請求項３】
前記第２の記憶部に記憶されている機器情報が更新された場合、該更新の動作に関する情報をユーザに通知する通知手段を更に有する
ことを特徴とする請求項２に記載の電子機器。
【請求項４】
前記記憶制御手段による前記第２の記憶部に記憶されている機器情報の更新を許可するか否かを示す命令をユーザから受け付ける受付手段を更に有する
ことを特徴とする請求項２又は３に記載の電子機器。
【請求項５】
前記記憶制御手段は、前記電子機器が電源ＯＮ状態から電源ＯＦＦ状態に移行する場合、前記第２の記憶部に記憶されている機器情報に含まれる複数の項目のうち予め指定された項目を前記第１の記憶部に書込む
ことを特徴とする請求項２乃至４のいずれか１項に記載の電子機器。
【請求項６】
前記管理手段は、前記第２の記憶部に記憶されている機器情報に含まれる各項目の優先度を設定するよう構成されており、
前記記憶制御手段は、前記電子機器が電源ＯＮ状態から電源ＯＦＦ状態に移行する場合、前記第２の記憶部に記憶されている機器情報に含まれる複数の項目のうち相対的に高い優先度を有する項目を前記第１の記憶部に書込む
ことを特徴とする請求項２乃至４のいずれか１項に記載の電子機器。
【請求項７】
前記第２の記憶部に記憶される機器情報は、前記電子機器の機能設定に関する情報、前記電子機器の動作履歴に関する情報、前記電子機器で使用される消耗部材の状態に関する情報の少なくとも１つを含む
ことを特徴とする請求項２乃至６のいずれか１項に記載の電子機器。
【請求項８】
前記電子機器の機能を実現するソフトウェアを更新する更新手段を更に有し、
前記更新手段は、前記電子機器が電源ＯＦＦ状態から電源ＯＮ状態に移行する場合、前記第１の記憶部に記憶されたソフトウェア更新予約に従って更新処理を実行する
ことを特徴とする請求項１乃至７のいずれか１項に記載の電子機器。
【請求項９】
印刷データを取得するための情報は、該印刷データが格納されている記憶領域を示す情報である
ことを特徴とする請求項１乃至８のいずれか１項に記載の電子機器。
【請求項１０】
印刷データを取得するための情報は、ＵＲＬ（Uniform Resource Locator）によって示される
ことを特徴とする請求項１乃至９のいずれか１項に記載の電子機器。
【請求項１１】
前記電源ＯＦＦ状態は、前記電源ＯＮ状態に比較して消費電力が低い省電力状態を含む
ことを特徴とする請求項１乃至１０のいずれか１項に記載の電子機器。
【請求項１２】
前記電子機器が電源ＯＦＦ状態から電源ＯＮ状態に移行し、かつ、前記電子機器が電源ＯＦＦ状態の間に前記外部機器から前記第１の通信手段を介して前記第１の記憶部に印刷依頼が書込まれていた場合、該印刷依頼によって要求された印刷を実行することを示す情報を表示部に表示するよう制御する表示制御手段を更に有する
ことを特徴とする請求項１乃至１１のいずれか１項に記載の電子機器。
【請求項１３】
前記カードエミュレーションモード及び前記リーダ／ライタモードは、ＮＦＣ（Near Field Communication）規格に規定されるモードである
ことを特徴とする請求項１乃至１２のいずれか１項に記載の電子機器。
【請求項１４】
電子機器の制御方法であって、
外部機器による第１の記憶部に対する印刷データを取得するための情報の読取り又は書込みを実行するため、前記電子機器が電源ＯＦＦ状態であっても該外部機器との間で近距離無線通信を実行する工程と、
印刷データを取得する工程と、
前記取得された印刷データを印刷する工程と、
前記電子機器が電源ＯＦＦ状態から電源ＯＮ状態に移行し、かつ、該電子機器が電源ＯＦＦ状態の間に前記外部機器によって前記第１の記憶部に印刷データを取得するための情報が書込まれていた場合、該印刷データを取得するための情報に従って印刷データを取得し、該取得された印刷データを印刷するよう制御する工程と、
を含み、
前記電子機器は、リーダ／ライタモードで動作する前記外部機器と通信するためカードエミュレーションモードで動作する
ことを特徴とする制御方法。
【請求項１５】
電子機器と外部機器とを含む情報処理システムであって、
前記電子機器は、
外部機器による第１の記憶部に対する印刷データを取得するための情報の読取り又は書込みを実行するため、前記電子機器が電源ＯＦＦ状態であっても該外部機器との間で近距離無線通信を行う第１の通信手段であって、リーダ／ライタモードで動作する前記外部機器と通信するためカードエミュレーションモードで動作する前記第１の通信手段と、
印刷データを取得する第２の通信手段と、
前記第２の通信手段により取得された印刷データを印刷する印刷手段と、
前記電子機器が電源ＯＦＦ状態から電源ＯＮ状態に移行し、かつ、該電子機器が電源ＯＦＦ状態の間に前記外部機器によって前記第１の通信手段を介して前記第１の記憶部に印刷データを取得するための情報が書込まれていた場合、該印刷データを取得するための情報に従って印刷データを取得するよう前記第２の通信手段を制御し、該第２の通信手段により取得された印刷データを印刷するよう前記印刷手段を制御する制御手段と、
を有する
ことを特徴とする情報処理システム。
【請求項１６】
コンピュータに請求項１４に記載の制御方法を実行させるためのプログラム。